(57)【要約】【課題】状況に応じて、店員が商品の袋詰めを行う場合、あるいは顧客が商品の袋詰めを行う場合があっても、店員又は顧客が商品の袋詰めを行うのに好適な袋保持具を提供する。【解決手段】商品販売データ処理装置２に装着される袋保持具１は、互いと略平行に延出し、商品を詰める袋を支持する略棒状の一対のアーム１３と、一対のアーム１３が取り付けられた基体部１２と、商品販売データ処理装置２に基体部１２を回動可能に連結すると共に、基体部１２の回動に応じて一対のアーム１３が延出する向きを切り替えるヒンジｈ１と、を有する。【選択図】図１
2020009057.tif 000002
【特許請求の範囲】
【請求項１】
商品販売データ処理装置に装着される袋保持具であって、
商品を詰める袋を保持する袋保持部と、
前記袋保持部が取り付けられた基体部と、
前記商品販売データ処理装置に前記基体部を連結し、前記基体部の向きを切替可能とすると共に、前記基体部の向きの切り替えに応じて前記袋保持部の向きを切替可能とする第一の切替手段と、を有する、
袋保持具。
【請求項２】
前記第一の切替手段は、前記基体部を回動させ、店員と顧客が前記商品販売データ処理装置を挟んで向き合うラインに対して略直交する向き又は略平行な向きに、前記袋保持部の向きを切り替える、
請求項１記載の袋保持具。
【請求項３】
前記基体部に対し、前記袋保持部を折り畳み可能に取り付ける第二の切替手段、をさらに有する、
請求項１又は２記載の袋保持具。
【請求項４】
前記第一の切替手段は、前記商品販売データ処理装置の縁辺のうち、店員と顧客が前記商品販売データ処理装置を挟んで向き合うラインと略平行な縁辺の略中央となる位置に設けられ、当該略中央部を起点にして前記基体部を回動させ、店員と客が前記商品販売データ処理装置を挟んで向き合うラインに対して略直交する向き又は略平行な向きに、前記袋保持部の向きを切り替える、
請求項１乃至３いずれかの項に記載の袋保持具。
【請求項５】
前記商品販売データ処理装置は少なくとも、前記基体部の向きの切り替えに応じて、店員が商品を登録する通常モードと、顧客が商品を登録するフルセルフモード又は精算のみを実行するセミセルフモード、の相互に切替可能な２つのモード、のいずれかに切り替える制御手段、を備えており、
前記基体部の向きの切り替えを検知する検知部、をさらに有する、
請求項１乃至４いずれかの項に記載の袋保持具。
【請求項６】
袋保持具を備えた商品販売データ処理装置であって、
商品を詰める袋を保持する袋保持部と、
前記袋保持部が取り付けられた基体部と、
前記商品販売データ処理装置に前記基体部を連結し、前記基体部の向きを切替可能とすると共に、前記基体部の向きの切り替えに応じて前記袋保持部の向きを切替可能とする切替手段と、を有する、
商品販売データ処理装置。
【発明の詳細な説明】
【技術分野】
【０００１】
本発明は、スーパーマーケットなどで商品の登録及び精算を行う商品販売データ処理装置に取り付け又は備えられる器具であって、商品を詰める袋を保持するものに関する。
【背景技術】
【０００２】
従来、スーパーマーケット等に設置され、顧客が購入する商品の登録や精算を行う商品販売データ処理装置には、商品等の品物を載置するレジ台に、商品を詰める袋や顧客が持参した袋等を開口させた状態に保持するアームを備えた器具が取り付けたものがある。通常、顧客は決済のための登録を行った商品をこのような器具で保持した袋に詰めて決済を行った後、商品を収容した袋を当該器具から取り外して持ち帰る。
【０００３】
この点、特許文献１では、商品の登録から精算に至る工程を顧客が全て行うフルセルフ専用レジのための装置であって、載置台に立設する立設支持部と、袋を保持するアームと、アームが取り付けられたアーム保持具と、アーム保持具と立設支持部とを接続し、アームの延びる方向を載置台の載置面に対して略平行方向又は略垂直方向に自在とする回転支持部と、アーム保持具を操作するためにアーム保持具に所定量スライド可能にして取り付けられたレバーと、アームの延びる方向を略平行方向とした際に、レバーをスライドさせてレバーの端部を嵌合穴に差し込むことでアーム保持具を固定状態とし、レバーの端部を嵌合穴から抜くようにレバーをスライドさせる解除操作で固定状態を解除するロック機構と、を備える袋保持装置が提案されている。
【先行技術文献】
【特許文献】
【０００４】
【特許文献１】特許第５２９１６８８号公報
【発明の概要】
【発明が解決しようとする課題】
【０００５】
これまで、特許文献１に記載の袋保持装置のように、フルセルフ専用レジに対応した袋保持具は存在した。
しかしながら、近年では、スーパーマーケット等の店舗の稼働状況等に応じて、顧客が商品の登録から精算を行うレジとして、あるいは店員が商品の登録と袋詰めを行い、顧客が精算を行うレジとして機能するような可変的な商品販売データ処理装置が提供されている。このような商品販売データ処理装置では、状況に応じて袋詰めを行う主体が異なるため、顧客又は店員のどちらかが商品の袋詰めを行うことを前提とした袋保持具では不都合があった。
【０００６】
そこで本発明は、状況に応じて、店員が商品の袋詰めを行う場合、あるいは顧客が商品の袋詰めを行う場合があっても、店員又は顧客が商品の袋詰めを行うのに好適な袋保持具を提供することを目的の一つとする。
【課題を解決するための手段】
【０００７】
上記目的を達成するため、本発明に係る袋保持具は、商品販売データ処理装置に装着される袋保持具であって、商品を詰める袋を保持する袋保持部と、前記袋保持部が取り付けられた基体部と、前記商品販売データ処理装置に前記基体部を連結し、前記基体部の向きを切替可能とすると共に、前記基体部の向きの切り替えに応じて前記袋保持部の向きを切替可能とする第一の切替手段と、を有する。
【発明の効果】
【０００８】
本発明によれば、状況に応じて、顧客が商品の登録から精算を行うレジとして、あるいは店員が商品の登録と袋詰めを行い、顧客が精算を行うレジとして機能する商品販売データ処理装置において、商品販売データ処理装置がいずれのレジとして機能する場合でも、顧客又は店員は商品を袋に詰めやく便利である。
【図面の簡単な説明】
【０００９】
【図１】本発明の実施形態に係る袋保持具、及び袋保持具を装着した商品販売データ処理装置を示す外観斜視図であって、（ａ）店員側からみた外観斜視図、（ｂ）顧客側からみた外観斜視図である。
【図２】本発明の実施形態に係る袋保持具、及び袋保持具を装着した商品販売データ処理装置を示す外観斜視図であって、（ａ）店員側からみた外観斜視図、（ｂ）顧客側からみた外観斜視図である。
【図３】本発明の実施形態に係る袋保持具、及び袋保持具を装着した商品販売データ処理装置を示す外観斜視図であって、（ａ）店員側からみた外観斜視図、（ｂ）顧客側からみた外観斜視図である。
【図４】本発明の実施形態に係る袋保持具の第１形態における正面図である。
【図５】本発明の実施形態に係る袋保持具の第１形態における背面図である。
【図６】本発明の実施形態に係る袋保持具の第１形態における平面図である。
【図７】本発明の実施形態に係る袋保持具の第１形態における底面図である。
【図８】本発明の実施形態に係る袋保持具の第１形態における左側面図である。
【図９】本発明の実施形態に係る袋保持具の第１形態における右側面図である。
【図１０】本発明の実施形態に係る袋保持具の第１形態における正面側からみた斜視図である。
【図１１】本発明の実施形態に係る袋保持具の第２形態における平面図である。
【図１２】本発明の実施形態に係る袋保持具の第２形態における右側面図である。
【図１３】本発明の実施形態に係る袋保持具の第２形態における正面側からみた斜視図である。
【図１４】本発明の実施形態に係る袋保持具の第２形態における背面側からみた斜視図である。
【図１５】本発明の実施形態に係る袋保持具の第３形態における正面図である。
【図１６】本発明の実施形態に係る袋保持具の第３形態における平面図である。
【図１７】本発明の実施形態に係る袋保持具の第３形態における左側面図である。
【図１８】本発明の実施形態に係る袋保持具の第３形態における正面側からみた斜視図である。
【図１９】本発明の実施形態に係る袋保持具の第３形態における背面側からみた斜視図である。
【図２０】本発明の実施形態に係る袋保持具の第１形態において、袋を掛止させた状態を示す外観斜視図である。
【図２１】本発明の実施形態に係る袋保持具の第１形態において、カゴを載置させた状態を示す外観斜視図である。
【図２２】本発明の実施形態に係る袋保持具の第２形態において、袋を掛止させた状態を示す外観斜視図である。
【図２３】本発明の実施形態に係る袋保持具の第３形態において、袋を掛止させた状態を示す外観斜視図である。
【図２４】本発明の実施形態に係る袋保持具を配置したレイアウトの一例を示す図である。
【図２５】本発明の実施形態に係る袋保持具を配置したレイアウトの一例を示す図である。
【図２６】本発明の他の実施形態に係る袋保持具、及び商品販売データ処理装置が備える機能の一例を示した機能ブロック図である。
【発明を実施するための形態】
【００１０】
本発明の実施形態に係る袋保持具１について、図を参照して説明する。
本実施形態に係る袋保持具１は、商品販売データ処理装置２に装着され、商品を詰める袋を保持するものである。この袋保持具１は後述するとおり、状況に応じて、図１、図２、図３に示される３つの形態にすることができ、それぞれ、収納された形態（以下、「第１形態」と称することがある）、店員が商品の袋詰めを行うのに好適な形態（以下、「第２形態」と称することがある）、顧客が商品の袋詰めを行うのに好適な形態（以下、「第３形態」と称することがある）である。
以下ではまず、商品販売データ処理装置２及び袋保持具１の構成について説明する。
【００１１】
●商品販売データ処理装置２
図１〜３に示される商品販売データ処理装置２は、商品の登録や精算を行う装置であり、店員が商品の登録を行う場合には、店員と顧客は商品販売データ処理装置２を挟んで互いに向き合った位置に立ち、店員が商品の登録を行い、店員が袋詰めをしている間に顧客によって精算が行われる。
なお、以下では、店員と顧客が商品販売データ処理装置２を挟んで向き合うラインＬとの関係から、袋保持具１の取付位置や部材の動きを特定することがある。また、顧客が商品販売データ処理装置２によって商品の登録から精算までを行い、店員が商品販売データ処理装置２を操作しない場合もあるが、この場合についても、上述のように店員と顧客が用品販売データ処理装置を挟んで向き合った場合のラインＬを観念して説明する。
【００１２】
この商品販売データ処理装置２は、店員側表示部２１や顧客側表示部２２のほか、通常のＰＯＳレジスタが備える機構として、商品に付されたバーコードを読み取るスキャナ、情報や指示を直接入力するためのキー等の操作ボタン、現金を処理する釣銭釣札部、レシートを発行する印刷部、クレジットカードなどの決済媒体による決済を可能とする決済部などを備える。
なお、商品販売データ処理装置２は、他の商品販売データ処理装置２や、複数の商品販売データ処理装置２を管理等するストアコントローラなどと通信可能に接続されていてもよい。
【００１３】
店員側表示部２１と顧客側表示部２２は、登録した商品や合計額を表示するディスプレイや、データ表示と合わせて所定のデータの入力を受け付けられるタッチパネルなどによって構成される。
この店員側表示部２１と顧客側表示部２２は、互いと反対の向きに画面を向けており、店員側表示部２１は店員に対して画面を向け、顧客側表示部２２は顧客に対して画面を向けている。
また、店員側表示部２１と顧客側表示部２２は、略直方体状の基台２３の上部に設置されており、店員や顧客の目線に近い位置に合わせられている。
【００１４】
なお、商品販売データ処理装置２の基台２３の側面であって、袋保持具１が装着された箇所の下方には、商品を詰める袋やカゴ、段ボールなどを載置することのできる平板状の載置台２４が設けられており、図２１は載置台２４にカゴ４を載置させた例を示している。また同様に、袋保持具１が装着されている側面とは反対側の側面にも載置台２４が設けられている。ただし、本実施形態に係る袋保持具１の使用において、載置台２４はなくてもよいし、両側面のどちらか一方にのみ設けるものとしてもよい。
【００１５】
また、本実施形態に係る商品販売データ処理装置２は、通常モード、フルセルフモード、セミセルフモード、の相互に切替可能な３つのモードによる動作が可能である。通常モードは、店員側にて登録処理を実行し、顧客側にて精算処理を実行する動作モードであり、フルセルフモードは、顧客側にて登録処理と精算処理を実行する動作モードであり、セミセルフモードは、少なくとも他の商品販売データ処理装置２から商品の登録情報を受け取って精算のみを実行する動作モードである。
店舗等の運営者は、店舗等の状況に応じてモードを切り替えて商品販売データ処理装置２を使用することができる。そして、通常、通常モードでは店員が商品の袋詰めを行い、フルセルフモード及びセミセルフモードでは顧客が商品の袋詰めを行う。
【００１６】
●袋保持具１
図４〜図１９に本実施形態に係る袋保持具１を示す。
袋保持具１は、略棒状の一対のアーム１３、一対のアーム１３が取り付けられた略平板状の基体部１２、アーム１３を折り畳み可能に基体部１２に連結するヒンジｈ２、商品販売データ処理装置２に取り付けられ、袋保持具１を商品販売データ処理装置２に装着させる取付部１１、基体部１２を回動可能に取付部１１に連結するヒンジｈ１によって構成される。
なお、袋保持具１は金属、特に本例では強磁性を示す金属材料を主材とし、商品を詰めた袋を保持した状態でも容易に撓んだりすることのない強度を有している。なお、各部材の表面には適宜、塗装を施し、腐食や劣化を防ぐと共に、スーパーマーケット等に配設するのに好適な見栄えを備えさせるとよい。
【００１７】
●取付部１１
取付部１１は、略平板状の部材であって、商品販売データ処理装置２の基台２３の側面に取り付けられ、袋保持具１を商品販売データ処理装置２に装着させる。この取付部１１には、所定の箇所にネジ孔１１ａが設けられている。また、商品販売データ処理装置２の側面にも、ネジ孔１１ａに対応したネジ穴が設けられており、ネジ孔１１ａを介してネジ穴にネジを螺入させることで、取付板を基台２３の側面にネジ止めすることができる。
なお、取付部１１を商品販売データ処理装置２の側面に取り付ける手段はネジ止めに限られず、接着剤による接着や溶接など、各種の手段によることができる。
【００１８】
取付部１１の長さ方向の一端部には、基体部１２を取付部１１に対して回動可能に連結するヒンジｈ１が取り付けられている。
また、取付部１１は基台２３の側面の奥行の約半分程度の長さを有している。そして、取付部１１は商品販売データ処理装置２の縁辺のうち、店員と顧客が商品販売データ処理装置２を挟んで向き合うラインＬと略平行な縁辺の略中央となる位置にヒンジｈ１がくるよう、基台２３の奥行方向の一端側、本例では店員側に偏った位置に取り付けられている。
【００１９】
●ヒンジｈ１
ヒンジｈ１は、商品販売データ処理装置２に基体部１２を連結し、基体部１２の向きを切替可能とすると共に、基体部１２の向きの切り替えに応じてアーム１３の向きを切替可能とする第一の切替手段を構成する。さらに本例について詳述すると、ヒンジｈ１は基体部１２を取付部１１に対して回動可能に連結している。また、このヒンジｈ１は、基台２３の奥行方向の略中央に位置しており、基体部１２の背面を取付部１１の正面に重ねた状態から、取付部１１に対して基体部１２が直角な向きを向くように基体部１２を回動させて、基体部１２の向きを切り替えることができる。また、このように回動させて、基体部１２の向きを切り替えた場合、基体部１２から一対のアーム１３を延び出させた状態においては、アーム１３が延出する向きを切り替えることができる。具体的には、アーム１３がラインＬに対して略直交する向きに延び出した状態から、アーム１３がラインＬに対して略平行であって、顧客側へ延び出した状態になる。
【００２０】
●基体部１２
基体部１２は、一面側に一対のアーム１３が取り付けられた略平板状の部材である。
この基体部１２にはその一端部において、ヒンジｈ１を介して取付部１１と連結されている。ヒンジｈ１は、基体部１２を回動可能に取付部１１に連結しており、これにより基体部１２はヒンジｈ１を起点にして回動させることができる。基体部１２は、背面部が取付部１１の正面に当接して取付部１１上に重畳した状態から、ヒンジｈ１を起点として約９０度回動させることができ、この状態では、基体部１２は取付部１１に対して略直角な向きをなしている。
【００２１】
基体部１２は一定の厚みを有しており、一定の厚みを構成する側面のうち、ヒンジｈ１が設けられている側の側面には、マグネットｍ１が取り付けられている。取付部１１に対して基体部１２が直角となるよう、ヒンジｈ１を起点に基体部１２を回動させると、マグネットｍ１が設けられた側面は取付部１１の正面に当接する。このとき、少なくとも取付部１１が、強磁性を示す金属で構成されていれば、基体部１２の側面に設けられたマグネットｍ１は取付部１１に吸着し、取付部１１に対して基体部１２が直角をなした状態に固定される。
なお、本例では、基体部１２の側面にマグネットｍ１を設けたが、これに限らず、基体部１２の側面が当接する取付部１１の表面にマグネットｍ１を設けてもよいし、ヒンジｈ１にマグネットｍ１を設けてもよい。また、その他のロック機構によって、直角の状態を保持する機構であってもよい。
【００２２】
基体部１２の幅方向略中央の上端には、取付部１１側へ延び出した舌片部１２１が設けられており、舌片部１２１上にはさらに、袋を掛止させるための掛止突起１２１ａが設けられている。
掛止突起１２１ａは、舌片部１２１から上方へ延び出すと共に、鉤爪状に取付部１１側へ折曲している。これにより、図１９〜２２に示されるように、袋３に形成された掛止孔を掛止突起１２１ａに掛止させれば、意図せず袋保持具１から袋３が脱落するのを防ぐことができる。
【００２３】
●アーム１３
一対のアーム１３は、袋を掛止させて保持する袋保持部を構成する部材であって、互いと一定の長さだけ離間して、基体部１２の一面側から垂直に延出している。
この一対のアーム１３はその基端において、基体部１２とヒンジｈ２によって連結されており、商品を袋に詰めない場合、例えば顧客が自ら持参したカゴ４などを載置台２４に置く場合には、互いに向き合う方向へヒンジｈ２を起点にして折り畳むことができる。
なお、図２１に示されるように、アーム１３は載置台２４よりも十分に高い位置に設けられており、載置台２４にカゴ４を載置させた場合でも、アーム１３はカゴ４の上端面よりも高い位置にくる。これにより、収納した状態でも基台２３から僅かに外側へ張り出すアーム１３に関わらず、カゴ４を基台２３側へ寄せて載置させることができる。その結果、カゴ４を載置させる載置台２４上スペースを省スペース化できるし、基台部２３に近い位置にカゴ４を載置できることで、商品の袋詰めの際に便利である。
【００２４】
アーム１３の先端には、袋をアーム１３上に掛止するための掛止部１３ａが設けられている。掛止部１３ａは、水平方向に延び出すアーム１３において、側面視、僅かに下方へ凹状に屈曲した部分である。
ここで、図１９〜図２２に示されるように、本実施形態に係る袋保持具１によって保持される袋３の一例は、対向して設けられた一対の把持部３１と、袋３を閉じるために互いと結わえられる一対の帯片３２とを有している。一対の把持部３１は、一定の幅を有する帯状の輪であり、アーム１３を挿し込むための挿込孔が設けられている。また、帯片３２にも、掛止突起１２１ａに掛止させるための掛止孔が設けられている。
把持部３１に設けられた挿込孔には夫々、アーム１３が挿し込まれ、掛止孔には掛止突起１２１ａが掛止する。複数の袋３は折り畳んだ状態でアーム１３及び掛止突起１２１ａに掛止されており、袋詰めを行う場合には、外側の袋３について、把持部３１はアーム１３に掛止させたまま、一の帯片３２を掛止突起１２１ａから外して開口させる。
【００２５】
なお、上記の例にかかわらず、顧客が持参した袋を一対のアーム１３に掛止させ、当該袋に商品を詰めることもできる。
また、他の例においては、アーム１３は一対でなくてもよい。
【００２６】
●ヒンジｈ２
ヒンジｈ２は、基体部１２に対し、アーム１３を折り畳み可能に取り付ける第二の切替手段を構成する。さらに本例について詳述すると、ヒンジｈ２はアーム１３を基体部１２上に折り畳み可能に連結している。また、このヒンジｈ２は、基体部１２の表面において、ラインＬに沿って互いに離間した位置に設けられており、アーム１３を互いに向き合う方向に回動させ、一対のアーム１３を重畳的に収納させたり、逆にアーム１３を互いから離間する方向に回動させ、基体部１２上から垂直に延出させたりすることができる。
【００２７】
なお、ヒンジｈ２は、互いと当接、離反する一対の舌片状の可動片からなるところ、当該可動片にマグネットｍ２を取り付け、一対の可動片が当接した時に、当該一対の可動片を磁性吸着させられるようにしてもよい。これにより、アーム１３が基体部１２から垂直に延び出した状態に基体部１２を固定することができる。
【００２８】
●第１形態
続いて、本実施形態に係る袋保持具１の状況に応じた使用形態について説明する。
図１、図４〜図１０、図２０、図２１は、袋保持具１を用いて商品の袋詰めを行わない場合に好適な第１形態を示している。
この第１形態では、基体部１２が取付部１１に重畳するように折り畳まれると共に、一対のアーム１３も折り畳まれている。これにより、載置台２４上は開放され、顧客が持参したカゴ４や段ボールなどを置くことができ、カゴ４や段ボールに商品を詰める場合に好適である。
【００２９】
●第２形態
図２、図１１〜図１４、図２２は、店員が商品の袋詰めを行うのに好適な第２形態を示している。
この第２形態は、図１、図４〜図１０、図２０、図２１で示した第１形態から、ヒンジｈ２を起点にして一対のアーム１３を互いに離れる方向に回動させることにより形成される。
【００３０】
この第２形態では、取付部１１に基体部１２が重ねられつつ、載置台２４上においては、ラインＬと直角な向きにアーム１３が延出している。また、アーム１３は、商品販売データ処理装置２の基台２３の奥行方向、店員側に偏った位置から延出している。これにより、一対のアーム１３に袋を掛止させつつ、使用する袋を開口させれば、店員が商品の袋詰めを行う場合に好適である。
【００３１】
●第３形態
図３、図１５〜図１９、図２３は、顧客が自ら、商品の袋詰めを行うのに好適な第３形態を示している。
この第３形態は、図２、図１１〜図１４、図２２で示した第２形態から、ヒンジｈ１を起点にして基体部１２を取付部１１から離れる方向に回動させることにより形成される。なお、アーム１３は、基体部１２が取付部１１に重ねられた第１形態、あるいは基体部１２を取付部１１から回動させた第２形態のいずれの形態からでも、ヒンジｈ１を起点に回動させて、基体部１２から延出させることができる。
【００３２】
この第３形態では、載置台２４上において、商品販売データ処理装置２の基台２３の奥行方向、略中央から、顧客側へアーム１３が延出している。これにより、一対のアーム１３に袋を掛止させつつ、使用する袋を開口させれば、顧客が商品の袋詰めを行う場合に好適である。
【００３３】
●レイアウト
続いて、本実施形態に係る袋保持具１を装着させた商品販売データ処理装置２を複数、配設する場合のレイアウトの一例を説明する。
図２４及び図２５の例はいずれも、４台の商品販売データ処理装置２を設置したレイアウトの一例を示している。
図２４の例は、全ての商品販売データ処理装置２を、顧客Ｃが商品の登録から精算まで行うフルセルフモードで機能させている場合を示している。
この例では、４台の商品販売データ処理装置２に装着された袋保持具１はいずれも、第３形態をとっており、商品販売データ処理装置２を使用する顧客Ｃが袋詰めを行うのに好適な状態になっている。
【００３４】
図２５の例は、２台の商品販売データ処理装置２を、店員Ｓが商品の登録を行う通常モードで機能させると共に、他の２台の商品販売データ処理装置２を、商品販売データ処理装置２から商品の登録情報を受け取って精算のみを実行するセミセルフモードで機能させている場合を示している。ここで、２台の商品販売データ処理装置２は、商品の登録と精算を行いつつ、混雑時には商品の登録データを商品販売データ処理装置２に送信して混雑を緩和させる。一方、２台の商品販売データ処理装置２は、商品の登録を実行する商品販売データ処理装置２から精算用のデータを受け付け、顧客Ｃによる精算処理を実行する。
この例では、２台の商品販売データ処理装置２に装着された袋保持具１は第２形態をとっており、商品の登録を行った店員Ｓがそのまま商品の袋詰めを行えるようになっている。一方、他の２台の商品販売データ処理装置２に装着された袋保持具１は第３形態をとっており、店員Ｓによって商品販売データ処理装置２で商品の登録を受けた顧客Ｃは、そのまま商品販売データ処理装置２のほうへ移って精算を行うと共に、商品の袋詰めを行えるようになっている。
【００３５】
以上の本実施形態に係る袋保持具１によれば、状況に応じて、顧客又は店員のいずれが商品の袋詰めを行う場合でも、それぞれの状況に応じて、顧客又は店員が商品の袋詰めを行いやすくすることができる。
【００３６】
次に、本発明の他の実施形態に係る袋保持具１について説明する。
本実施形態では、袋保持具１の形態の変更を検知して、商品販売データ処理装置２のモードを移行する。
商品販売データ処理装置２が移行し得るモードには上述の通り、店員が商品の登録を行う通常モード、顧客が商品の登録から精算まで行うフルセルフモード、他の商品販売データ処理装置２から商品の登録情報を受け取って精算のみを実行するセミセルフモード、の相互に切替可能な３つのモードがある。
【００３７】
ここで、通常モードの場合には、店員が商品の袋詰めを行う。そのため、袋保持具１を店員が商品の袋詰めを行うのに好適な第２形態に変更した場合には、これを検知して商品販売データ処理装置２を通常モードに移行させる。
一方、フルセルフモード及びセミセルフモードの場合には、顧客が商品の袋詰めを行う。そのため、袋保持具１を顧客が商品の袋詰めを行うのに好適な第３形態に変更した場合には、これを検知して商品販売データ処理装置２をフルセルフモード又はセミセルフモードに移行させる。なお、フルセルフモード又はセミセルフモードのいずれに移行させるかは例えば、設定によっていずれかのモードに移行させるとよい。
【００３８】
このような袋保持具１、及び袋保持具１と連動する商品販売データ処理装置２について、モードの移行に必要となる機能の構成を図２６に示す。
袋保持具１は、使用形態を検知する検知部１０１を有し、商品販売データ処理装置２は、モードの移行を制御する制御部２０１を有している。
また、袋保持具１と商品販売データ処理装置２は所定の配線等によって接続されており、制御部２０１は、検知部１０１によって生成された情報を取得することができる。なお、制御部２０１は検知部１０１によって生成された情報を取得するが、これは袋保持具１と商品販売データ処理装置２を所定の配線等で接続する以外にも、無線ＬＡＮや有線ＬＡＮといった通信手段による接続によることもできる。
【００３９】
検知部１０１は、袋保持具１の形態について、基体部１２が折り畳まれて取付部１１上に重ねられた第１形態、又は基体部１２が取付部１１から離された第２形態あるいは第３形態のいずれの形態であるかを検知する。具体的には、基体部１２の側面の所定の箇所と取付部１１の正面の対応する箇所に端子を設けると共に、端子同士が当接することによって閉回路を形成する電気回路を設け、その通電状態を検知する。これにより、通電した場合には、基体部１２が載置台２４上に広げられていることが検知され、通電していない場合には、基体部１２が取付部１１上に重ねられ、収納された形態にあることが検知される。なお、このような検知方法は一例であって、基体部１２の側面にタッチセンサーを設けてもよいし、ヒンジｈ１に上記のような端子を設けたり、タッチセンサーを設けたりしてもよい。
【００４０】
制御部２０１は、検知部１０１から取得した、袋保持具１の形態に係る情報に基づき、商品販売データ処理装置２を制御して所定のモードに移行させる。具体的には、袋保持具１の形態が第２形態に移行した場合には、商品販売データ処理装置２を通常モードに移行させる。また、袋保持具１の形態が第３形態に移行した場合には、商品販売データ処理装置２をフルセルフモード又はセミセルフモードに移行させる。なお、フルセルフモード又はセミセルフモードのいずれに移行させるかは上記の通り設定等による。
【００４１】
本実施形態に係る袋保持具１によれば、袋保持具１の形態に応じて自動的に商品販売データ処理装置２のモードが適切なモードに移行して便利である。
【００４２】
なお、本実施形態に関わらず、商品販売データ処理装置２が移行し得るモードは、店員が商品の登録を行う通常モードと、顧客が商品の登録から精算まで行うフルセルフモードの相互に切替可能な２つのモード、あるいは、店員が商品の登録を行う通常モードと、他の商品販売データ処理装置２から商品の登録情報を受け取って精算のみを実行するセミセルフモードの相互に切替可能な２つのモードとすることもできる。この場合には、袋保持具１が第３形態をとると、前者であればフルセルフモードに移行し、後者であればセミセルフモードに移行する。
【００４３】
なお、以上の本実施形態では、袋保持具１は商品販売データ処理装置２に装着される別体として構成したが、これに関わらず、袋保持具１が商品販売データ処理装置２の一部を構成するよう、袋保持具１と商品販売データ処理装置２を一体的に構成させることもできる。
【００４４】
また、以上の本実施形態において、基体部１２は、ヒンジｈ１を介して商品販売データ処理装置２に直接、回動可能に連結させることもできる。即ち、基体部１２を商品販売データ処理装置２の基台２３の側面に装着させることもできる。
【符号の説明】
【００４５】
１          袋保持具
１１        取付部
１２        基体部
１２１      舌片部
１２１ａ    掛止突起
１３        アーム
１３ａ      掛止部
１０１      検知部
ｈ１、ｈ２  ヒンジ
ｍ１、ｍ２  マグネット
Ｌ          ライン
２          商品販売データ処理装置
２１        店員側表示部
２２        顧客側表示部
２３        基台
２４        載置台
２０１      制御部
３          袋
４          カゴ
【図１】
2020009057.tif 000003
【図２】
2020009057.tif 000004
【図３】
2020009057.tif 000005
【図４】
2020009057.tif 000006
【図５】
2020009057.tif 000007
【図６】
2020009057.tif 000008
【図７】
2020009057.tif 000009
【図８】
2020009057.tif 000010
【図９】
2020009057.tif 000011
【図１０】
2020009057.tif 000012
【図１１】
2020009057.tif 000013
【図１２】
2020009057.tif 000014
【図１３】
2020009057.tif 000015
【図１４】
2020009057.tif 000016
【図１５】
2020009057.tif 000017
【図１６】
2020009057.tif 000018
【図１７】
2020009057.tif 000019
【図１８】
2020009057.tif 000020
【図１９】
2020009057.tif 000021
【図２０】
2020009057.tif 000022
【図２１】
2020009057.tif 000023
【図２２】
2020009057.tif 000024
【図２３】
2020009057.tif 000025
【図２４】
2020009057.tif 000026
【図２５】
2020009057.tif 000027
【図２６】
2020009057.tif 000028